(57)【要約】【課題】  柱間メッセンジャーワイヤを備えた２本の既設電柱の一方を引込線の延長方向に建替える場合に、引込線の張替え長さを短くでき、材料費・工費の低減が可能となるとともに、引込線足し線のたるみを解消し、既設電柱と新設電柱との離隔距離に制限されない引込線の延線工事方法、および引込線引留支持具の提供。【解決手段】  本発明の引込線の延線工事方法は、延長張設したメッセンジャーワイヤ（25,39）に引込線引留支持具（10）を設け、これと新設電柱（36）の引込線引留支持部（371）とにそれぞれ係止された引込線引留具（44,45)を介してこれらの間で足し線（42）を張った状態に引留支持する。引込線（24）と足し線（42）の接続部（43）および新設電柱における足し線（42）の接続部（372）は縁線部分に配置される。引込線引留支持具（10）は、引込線引留具を掛止可能な引留具掛止部（50、501）と、これを揺動可能に吊り下げ支持する釣支部（60）を備える。【選択図】  図１
2009044939.tif 000002
【特許請求の範囲】
【請求項１】
メッセンジャーワイヤが張設された２本の既設電柱のうちの一方をこれらの径間を拡大し、かつ該メッセンジャーワイヤに吊架された引込線をその電源側に延長する方向に建替える場合に、
建替え位置に建柱された新設電柱と前記既設電柱の他方との間で前記メッセンジャーワイヤを延長して張架するとともに、前記引込線を前記一方の既設電柱に近接する縁線部分で切断した上で、別途用意した引込線足し線の一端を当該引込線の切断後の端部に接続して延長し、
前記引込線の切断位置の上方に位置するメッセンジャーワイヤに引込線引留支持具を設け、これと前記新設電柱が備える引込線引留支持部とにそれぞれ掛止された引込線引留具間で前記引込線足し線を張った状態で支持した後に、前記引込線足し線の他端を所定の電源路に接続することを特徴とする引込線の延線工事方法。
【請求項２】
前記メッセンジャーワイヤに設けた引込線引留支具は、引込線引留具を掛止可能な引込線引留具掛止部と、メッセンジャーワイヤに取り付けられ、当該引込線引留掛止部を揺動可能に吊り下げ支持する釣支部を備えてなる請求項１に記載の引込線の延線工事方法。
【請求項３】
請求項１または２に記載の引込線の延線工事方法に用いられる引込線支持具であって、引込線引留具を掛止可能な引留具掛止部と、メッセンジャーワイヤに取り付けられ、当該引込線引留掛止部を揺動可能に吊り下げ支持する釣支部を備えてなることを特徴とする引込線支持具。
【発明の詳細な説明】
【技術分野】
【０００１】
本発明は、柱間メッセンジャーワイヤ（以下、単にメッセンジャーワイヤということがある。）を備えた２本の既設電柱の一方を建替える場合の架空引込線の延線工事方法、および当該工事に用いられる引込線引留支持具に関する。
【背景技術】
【０００２】
市街地などでは、架空引込線（以下、引込線という。）と電力需要家との離隔距離が長く、直接電柱から引込線を該電力需要家の引込口に引き込むことができない場合などに、隣り合う２本の電柱間に柱間メッセンジャーワイヤを張設しておき、これに架空引込線を懸架させる途中支持方式が用いられる。図９は、この柱間メッセンジャーワイヤを用いた架空引込線の途中支持方式を説明する図であり、（ａ）は平面図、（ｂ）は（ａ）の正面図の左半分の拡大正面図を示している。この図において、符号１４、１６は既設電柱、２５は柱間メッセンジャーワイヤ、２４、３０、３１は引込線、２７は絶縁ハンガー、２６、２６は玉碍子、Ｄ１〜Ｄ３は電力需要家である。なお、図６（ａ）では、既設電柱１４、１６には引込専用腕金などの設備を図示していないが、同図（ｂ）に示すように、引込専用腕金や支線バンドなどを備えているものとする。
【０００３】
柱間メッセンジャーワイヤ２５には、これをその両端で支持する各既設電柱１４、１６からそれぞれ所定の距離だけ離れた位置に玉碍子２６、２６が設けられ、玉碍子２６、２６と２本の既設電柱１４、１６との間にはメッセンジャーワイヤ２５の絶縁部分がそれぞれ形成されている。メッセンジャーワイヤ２５の２つの玉碍子２６、２６の間には、このメッセンジャーワイヤ２５に沿ってこれに通常約５０ｃｍ間隔で取り付けられた絶縁ハンガー２７、２７、・・・によって電力需要家Ｄ１〜Ｄ３の引込口付近まで引込線２４、３０、３１がそれぞれ吊架されており、そこから各引込口に向けて架線されている。この絶縁ハンガー２７は、図１０に示すように、塩化ビニル樹脂などで被覆された円弧状の絶縁部２７ａと、この絶縁部２７ａの端部のそれぞれより延設された半螺旋状部２７ｂおよび鍵状部２７ｃとから構成されたものである。
【０００４】
また、既設電柱１６寄りでは、図９（ｂ）に示すように、引込線２４が当該既設電柱１６の腕金１７の両端に設けられた笠形金具（引込線引留支持部）１７１に引込線引留具２３を介して引留支持されている。通常、引込線引留具２３としては、図１１に例示するような公知のバインドレス引留碍子３３が使用される。このバインドレス引留碍子は、磁器製または合成樹脂製の直方体状の本体３３の互いに平行な面に各２個の巻付部３３ａ，３３ｂ；３３ｃ、３３ｄが突設され、これらの面に直交する互いに平行な面には、当該直角な面同士を貫通する貫通孔３４を備えた構造を有し、巻付部３３ａ、３３ｂに引込線２４を適宜巻き付けることにより、これを当該引込線２４の途中に取り付けられるようになっている。貫通孔３４には、引込線引留支持部１７１が備える引留金具係止孔にこのバインドレス引留碍子を係止するのに用いられる引留金具の一端が挿通されようになっている。
【０００５】
このような２本の既設電柱の一方（例えば、図６における電柱１６）が、電力需要家の事情などによって両既設電柱間の径間長を拡大し、メッセンジャーワイヤ２５および架空引込線２４を延長する方向に建替えられる場合がある。この場合、新たな電線（以下、「引込線足し線」または単に「足し線」という。）を引込線２４に継ぎ足すのに、当該引込線２４の絶縁ハンガー２７、２７、・・・によって吊架された部分（図９（ｂ）、符号L参照）に両者の接続部を設けると、当該接続部における絶縁耐力が低下し、メッセンジャーワイヤが充電され短絡事故が発生する可能性があるので、絶縁ハンガー２７、２７、・・・で吊架された部分Ｌでは、引込線２４と引込線足し線との接続部を設けることができないこととされている。
【０００６】
そこで、従来は、図１２に示すように、引込線足し線４２を用意し、これを既設の引込線２４に沿わせてメッセンジャーワイヤ２５に取り付けられた絶縁ハンガー２７、２７、・・・に吊架させ、引込線２４がメッセンジャーワイヤ２５の吊架された部分Ｌから離れて電力需要家Ｄ１の引込口に架線される途中でこの引込線２４を切断し、当該引込線２４の引込口に通じる方の切断端部に引込線足し線４７の一端を接続するとともに（接続点４３）、他端を建替え位置に建柱した新設電柱３６の所定の中継点に接続し、既設電柱１６と新設電柱３６との間の足し線４２を適宜絶縁ハンガー２７を用いてメッセンジャーワイヤ３９に吊架する方法が採られていた。しかし、この方法では、引込線の張替え長さが長くなるとともに張替え作業に要する時間が長くなり、結果として材料費・工費が高額になり、引込線の切除した部分が無駄になるといった問題があった。
【０００７】
この問題を解決するために、以下のように絶縁ハンガー２７，２７、・・・に吊架された部分Ｌと新設電柱３６との間において、引込線２４と足し線４２とを接続する延線工事方法が考えられる（図１３参照。この図において、図９〜図１２と同一または共通の各部については同一の符号を用いている。）。この工事方法は、概ね以下のような手順で行なわれる。
（１）既設電柱１６の引込専用腕金１７の引込線引留支持部に支持された引込線引留具２３と当該引込専用腕金１７の引込端子箱１７２との間の引込線２４の縁線部分でこれを切断し、電力需要家Ｄ１の引込口に通じる側の引込線２４の端部に引込線足し線４２の一端を接続する（接続点４３）。
（２）この引込線足し線４２の他端は、所定の建替え位置に建柱された新設電柱３６の所定の中継点（図９では、引込専用腕金３７の引込端子箱３７２内の端子)に接続するとともに、当該他端寄りの引込線足し線４２に引込線引留具４５を取り付け、これを介して引込専用腕金３７の引込線引留支持部３７１に支持させる。
【０００８】
しかし、この工事方法による場合、足し線４２と引込線２４との接続点４３が張力を受けないようにする必要があるため、新設電柱３６とこれに最も近い絶縁ハンガー２７の間で足し線４２を張った状態で引込線引留支持部３７１に支持させることができず、また前記のように接続点４３と新設電柱３６との間のメッセンジャーワイヤ２５、３９に絶縁ハンガーを取り付けて足し線４２をメッセンジャーワイヤ２５，３９に吊架させることはできないことから、新設電柱３６の引込専用腕金３７に設けられた中継点（引込端子箱内の端子部など）３７２とこれに最も近い絶縁ハンガー２７との間で足し線４２をたるませた状態にしなければならなくなる。既設電柱１６の建柱位置と新設電柱３６の建替え位置との離隔距離が大きくなると、この足し線４２のたるみが大きくなり、例えばその下に交通路がある場合には、交通に支障をきたす可能性も生じ、非常に問題であった。また、この足し線４２のたるませた部分が風などによって揺動することで、引込線引留具４５も揺動し、新設電柱３６の前記中継点３７２で足し線４２が断線し、または接続点４３において引込線２４や足し線４２が断線する可能性があるだけでなく、接続点４３がメッセンジャーワイヤ２５、３９に接触し、接続部４３を被覆する被覆材が摩滅し、メッセンジャーワイヤへの充電が生じる可能性があった。
【特許文献１】特開平１１−１７８１７８号公報
【発明の開示】
【発明が解決しようとする課題】
【０００９】
本発明は、前記事情に鑑み、柱間メッセンジャーワイヤを備えた２本の既設電柱の一方を引込線の延長方向に移設する場合に、引込線の張替え長さを短くでき、それによって材料費・工費の低減が可能となるとともに、引込線足し線のたるみを解消し、既設電柱と新設電柱との離隔距離に制限されない引込線の延線工事方法、および当該方法に用いられる引込線引留支持具を提供することを目的とする。
【課題を解決するための手段】
【００１０】
本発明の引込線延線工事方法は、前記目的を達成するために、メッセンジャーワイヤが張設された２本の既設電柱のうちの一方をこれらの径間を拡大し、かつ該メッセンジャーワイヤに吊架された引込線をその電源側に延長する方向に建替える場合に、建替え位置に建柱された新設電柱と前記既設電柱の他方との間で前記メッセンジャーワイヤを延長して張架するとともに、前記引込線を前記一方の既設電柱に近接する縁線部分で切断した上で、別途用意した引込線足し線の一端を当該引込線の切断後の端部に接続して延長し、前記引込線の切断位置の上方に位置するメッセンジャーワイヤに引込線引留支持具を設け、これと前記新設電柱が備える引込線引留支持部とにそれぞれ掛止された引込線引留具間で前記引込線足し線を張った状態で支持した後に、前記引込線足し線の他端を所定の電源路に接続することを特徴とする。
【００１１】
前記引込線引留支具は、前記引込線引留具を掛止可能な引留具掛止部と、これを揺動可能に連結して前記メッセンジャーワイヤに釣支する釣支部とを備えていることが好ましい。
【発明の効果】
【００１２】
本発明の引込線の延線工事方法によれば、電柱建替え工事において撤去される既設電柱に近接する縁線部分で既設の引込線を切断し、これに足し線を接続することとし、またこの足し線を延長されたメッセンジャーワイヤの所定の位置に設けられた引込線引留支持具と新設電柱における引込線引留支持部とにそれぞれ掛止された引込線引留具間でこれら引込線足し線を張った状態に支持することとしたので、引込線の張替え長さを短くし張替えに要する作業時間を短縮でき、それによって作業時間および材料費、工費を低減できるとともに、足し線をたるませることによる弊害が生じることがなく、電柱の移設距離（建替え位置と撤去される既設電柱の建柱位置との距離）を大きくとることができる。
【発明を実施するための最良の形態】
【００１３】
以下、添付の図１を参照して、図６に示す既設電柱１６を所定の建替え位置に建替える場合を例にとり、本発明の引込線の延線工事方法について詳細に説明する。図１において、（ａ）はメッセンジャーワイヤを延長して新設電柱と他方の既設電柱との間に張設した状態を、また（ｂ）はその後に行われる引込線の延線工事の状況を示している。なお、図１では、メッセンジャーワイヤ２５に沿ってこれに取り付けられた絶縁ハンガー２７によって吊架された引込線１条のみを図示するが、複数条の引込線が絶縁ハンガーによって吊架されている場合でも、本発明の引込線の延線工事方法は好適に適用できることはいうまでもない。また、図１では、従来技術を図示した図９〜図１２と同一または共通の各部については同一の符号を用いることとし、以下では、重複した説明は省略する。
【００１４】
予め立案された電柱の移設計画に基づき、図１（ａ）に示すように、低圧の架空配電線（幹線）の架線方向に沿って２本の既設電柱１４、１６の径間長を拡大し、引込線２４を延長する方向の所定の建替え位置に新設電柱３６を通常の方法に従って建柱する。電柱建替えによって延長の必要のある引込線については、これに足し線４２を接続する際に（後述）停電の必要があることから、極力短い停電時間で引込線の延線工事が完了するように、この新設電柱３６には、通常、現地の建替え位置における架空配電線や引込線の架線状況に応じて、メッセンジャーワイヤ２５の延長および既設の引込線２４の延線工事に必要とされる各機器を取り付けておく。
【００１５】
引込線２４の延線工事に必要とされる機器として、図１では、引込専用腕金３７を新設電柱３６に取り付けている。この引込専用腕金３７には、その長さ方向両端に引込線引留支持部３７１、３７１を、また中間部分には引込端子箱３７２を備えている。この引込線引留支持部３７１は、引込線引留具の一端に固定された引留金具（図１（ｂ）、符号４５参照）を掛止するための掛止孔が少なくとも１個設けられた半円形の平面形状を有する板状の金具（笠型金具）である（図示の例では、この板状体に４個の掛止孔が設けられている）。なお、図１では、引込線引留支持部３７１は、引込専用腕金３７の長さ方向両端にそれぞれ設けているが、これに限られず、状況によってはいずれか一端にこれを設けたものであってもよい。また、引込線引留支持部３７１は、前記笠型金具に限定されず、これと同様の機能を備えた公知の金具を用いることもできる。
【００１６】
このように引込線引留支持部３７１を備えた引込専用腕金３７を取り付け、新設電柱３６の回りにこの引込専用腕金３７の向きを変更できるようにすることで、前記一方の既設電柱１６の撤去前であっても前記メッセンジャーワイヤ２５、３９の張設方向に対して鋭角に前記引込線足し線４２を張った状態に支持できるので、当該一方の既設電柱１６の存在が支障とならずに引込線の延線作業を行うことができる利点がある。
【００１７】
引込端子箱３７２は、内部に不図示の端子金具を備えており、これを介して架空配電線から分岐された引下線と引込線とが接続されるようになっている。この端子金具には、新設電柱３６の外周面にその長さ方向に沿って固定された所定長さの低圧引下線４１の下端部を接続しておく。低圧引下線４１の上端部は、不図示の架空配電線（図９（ｂ）符号２０参照）に接続できるように準備しておく。なお、現地の状況、特に引込線の条数や延線方向によって引込専用腕金３７を新設電柱３６に取り付ける必要がない場合には、新設電柱３６の外周面に引下線４１を固定した状態でその下端を垂らしておき、直接、これに引込線足し線４２を接続できるようにしておくだけもよい。
【００１８】
また、既設のメッセンジャーワイヤ２５の延線に必要とされる機器として、図１では、新設電柱３６の所定の高さ位置に取り付けられた支線バンド３８を示している。この支線バンド３８は、メッセンジャーワイヤ延長線３９の一端を固定するものである。
【００１９】
新設電柱４０の建柱後、図１（ａ）に示すように、既設電柱１６の支線バンド１８からメッセンジャーワイヤ２５を取り外し、その端部にメッセンジャーワイヤ延長線３９の一端を接続してメッセンジャーワイヤを延長し、他端を新設電柱３６に取り付けた支線バンド３８に固定することで、当該延長されたメッセンジャーワイヤを新設電柱３６と既設電柱１４との間に張設する。このメッセンジャーワイヤ延長線３９の新設電柱３６から所定の距離離れた位置には、玉碍子２６を設け、これと支線バンド３８との間に絶縁部分を形成しておくことが好ましい。メッセンジャーワイヤ２５とメッセンジャーワイヤ延長線３９との接続の方法については特に限定されず、従来公知の方法によることができるが、図１では、直線バインド４０を用いてこれら２線を接続している。この直線バインド４０を用いた接続部４０には、必要に応じてテープによる巻付処理などを施しておく。また、延長されたメッセンジャーワイヤ２５，３９の張り方についても通常の方法によることができる。なお、メッセンジャーワイヤ延長線３９は、可能であれば、あらかじめ所定の長さだけ裁断し、その一端を支線バンド３８に固定しておき、他端を既設電柱１６からメッセンジャーワイヤ２５を取り外した後に、その端部に接続し、2本の電柱１４、３６間で延長されたメッセンジャーワイヤを張設するようにしてもよい。
【００２０】
その後、図１（ｂ）に示すように、既設の引込線２４の縁線部分（既設電柱１６の引込専用腕金１７に設けられた引込端子箱１７２と引込線引留具２３との間）の上方領域におけるメッセンジャーワイヤ２５の任意の位置に引込線引留支持具１０を取り付ける。引込線引留支持具１０は、引留具掛止部５０と、釣支部６０とを備えたものである。
【００２１】
引込線引留係止部５０は、一端部に引込線引留具（図１、符号４４参照）が備える引留金具を係止可能な係止孔が少なくとも１つ穿設され、その反対側の端部において釣支部６０と連結可能とされた板状体またはその組合せ体である。ここで、組合せ体とは、前記板状体を同種のもの同士または当該板状体とこれを折り曲げるなどして変形した板状体とを直列にまたは並列に連結した構造を備えたものを指している。なお、以下では、この組合せ体と、当該組合せ体を構成する個々の引留係止部５０との混同を避けるために、組合せ体について符号５０１を付し、この符号を用いて説明する。
【００２２】
また、釣支部６０は、延長されたメッセンジャーワイヤ２５、３９の途中に取り付けることができ、前記引留具掛止部５０を吊り下げ支持可能なものあれば特に制限されないが、好ましくは前記引留具係止部５０を介してこれに外力が加わった場合に、当該外力の方向にその向きを変える程度の可とう性を備えていることが好ましい。このような釣支部６０としては、前記引留具係止部５０の重量や前記外力に耐え得る強度特性を備えた巻付バインドなどの各種バインド線を単体で、または該各種バインド線とこれとは別体のメッセンジャーワイヤを把持可能な把持部との連結体などを使用できる。
【００２３】
以下、図２〜図８を参照してこの引込線引留支持具１０の具体例について説明するが、引込線引留支持具はこれら各図に示されたものに限定されない。これらの各図に示す具体例では、いずれも釣支部６０として巻付バインドを用いている。この巻付バインド６０は、通常、ピン碍子に電線を固定するのに使用されるものであり、直線状部分の両端に螺旋部分が設けられ、当該直線状部分を略U字型に湾曲させた芯線の表面を絶縁体で被覆したものである。以下では、絶縁体で被覆された直線状部分を「直線状部６１」と、絶縁体で被覆された螺旋状部分を「螺旋状部６２」と呼ぶこととする。なお、図２〜図８において同一または共通する各部については同一の符号を用い、重複した説明は省略する。
【００２４】
図２は、引込線引留支持具１０の一例を示しており、（ａ）は正面図、（ｂ）は側面図である。この図に示す例では、引込線引留掛止部５０は、円弧状の端縁と直線状の端縁とを備えた略半円形の平面形状を有し、当該平面には円弧状の端縁に沿ってこれと同心円状に表裏に貫通する４つの長円状の掛止孔５２、５２、・・が等間隔にこれらの長軸方向を放射方向に向けて穿設された板状体５１からなる。この板状体５１の裏面には、当該面に略垂直でかつ直線状端縁の略中間に当該端縁に直角に釣支部６０を挿通する挿通孔５７を備えた連結部５６が固定されている。この挿通孔５７の開口面積は、これに挿通される釣支部６０の軸線方向に直角な方向の断面積よりも大きく設定し、当該釣支部６０を挿通穴５７に通してこれに引留具係止部５０を吊り下げた状態で、挿通孔５７の内周面における釣支部６０の外周面とのに接触部分を支点として引留具係止部５０が自在に揺動するようにしておく。連結部５６の板状体５１への固定方法は特に制限されず、公知の溶接、接着などによることができ、またこれらは一体に成形されたものであってもよい。
【００２５】
また、図３は、引込線引留支持具１０の別の例を示しており、（ａ）は正面図、（ｂ）は側面図である。この図に示す例では、図２に示す板状体５１の直線状の端縁にこれと同一平面となるように連結部５６が延設された構造を備えている。この連結部５６には図２に示した例と同様に釣支部６０の断面積よりも大きい開口面積を有する挿通孔５７が設けられている。また、この板状体部５１の図に向って横方向の中心線を軸として対称な位置に締結具通し孔５４，５４が穿設されている。
【００２６】
図４に示す具体例は、図３に示した例の変形例であり、同図に示す略半円形の板状体５１とその直線状の端縁に延設された連結部５６との境界に折曲部を設け、断面くの字状に形成したものである。（以下、説明の便宜上、この折り曲げられた略半円形の板状体部に符号５５を付することとする。）
【００２７】
図５に示す具体例は、図３に示した引留具係止部５０と図４に示すそれとを組み合わせた組合せ体５０１から構成されている。すなわち、この図に示す引留具係止部の組合せ体５０１は、図３に示す引留具係止部５０における連結部５３の表裏面にそれぞれ図４に示す引留具係止部５０における連結部５３，５３を当接して挟み込むようにし、前者の板状体部５１の表裏面に対して後者の折り曲げられた板状体部５５，５５がこの図の左方向に向けて鋭角に配置し、これら三者の連結部５３、５３、５３を貫通する挿通孔５４にボルト７０を通し、これにナット７１を螺合してこれらを締め付けた構造を備えている。このように組み合わせることで、折り曲げられた板状体部５５、５５と板状体部５１との相互間に隙間を設けることができるので、これらの板状体部５５，５５，５１に穿設された引留金具係止孔５２，５２、・・・のそれぞれに引込線引留具の引留金具を係止することが可能となる。このような構造の引留具係止部の組合せ体５０１は、例えば、絶縁ハンガー２７内に複数条の引込線が吊架されている場合などに、それぞれの引込線を引込線引留具を介してこれに引留支持させる場合に有効に利用できる。
【００２８】
また、図６は、本発明の引込線引留支持部１０のさらに別の例を示しており、図２および図３と同様に、（ａ）が正面図、（ｂ）が側面図である。この図に示す引込線引留掛止部５０は、図２に示した板状体５１の直線状の端縁からこの図に向って横方向に突出する突出片５３を備えており、当該方向両端部にはそれぞれ、各２つの通し孔５１ａ、５１ａ；５３ａ，５３ａが穿設されている。また、突出片５３の付け根部分の略中央には、表裏面に貫通する通し孔５３ｂが穿設されている。また、この突出片５３の裏面の通し孔５３ａ、５３ａの近傍には、挿通孔５７を備えた連結部５６が当該面に略垂直に固定されている。なお、図６では、この連結部５６を図２に示すそれと同様の形状にて示しているが、このような形状に限定されない。
【００２９】
図７および図８に示す引込線引留支持具１０では、引留具係止部５０は、図６に示した引留具係止部５０を各２枚組み合わせた組合せ体からそれぞれ構成されている。図７に示す引留具係止部５０の具体例は、２枚の引留具係止部５０、５０をそれぞれ連結部５６が外側となるように向き合う面の間に所定の間隔だけ離して略平行に対面させた構造を備えている。2枚の引留具係止部５０、５０を所定の間隔だけ離すのに、これらの対向する面の間に円筒状のスペーサー７２，７２，７５を介在させている。これらのスペーサー７２，７２，７５は、それぞれ通し孔５３ａ、５３ａ、５３ｂに通される長ボルト７０、７０、７３に緩装されており、ナット７１、７１、７４で締め付けることで固定されるようになっている。このように２枚の引留具係止部５０を所定の間隔だけ離して並列に配置することで、これらの引留具係止部５０がそれぞれ備える引留金具係止孔５２、５２、・・・が有効に使用でき、複数条の引込線のそれぞれに取り付けられた引込線引留具をこの金具係止孔５２，５２、・・・のいずれかに係止することができる。また、この具体例では、並列に配置する引留具係止部５０の枚数を現地で架線されている引込線の条数に対応してさらに増すことで、これら複数条の引込線を引留めることができる。なお、図７では、この図に向って奥側の通し孔５３ａに挿通される長ボルト７０、ナット７１、スペーサー７２は図示していない）
【００３０】
図８に示す具体例は、図６に示す引留係止部５０を2枚直列に連結した構造を備える組合せ体５０１を示している。これら2枚の引留係止部５０、５０は、釣支部６０を連結する一方の引留係止部５０の板状体部５１の略半円形の端縁側に穿設された通し孔５１ａ、５１ａと、他方の引留具係止部５０の突出片の一端部に穿設された通し孔５３ａ、５３ａとをそれぞれ合わせてボルト７０、７０を通し、ナット７１、７１で締め付け固定することによって連結されている。この引留係止部の組合せ体５０１においても、現地に架線されている引込線の条数などを考慮してさらに直列に引留具係止部５０を連結することができる。
【００３１】
メッセンジャーワイヤ２５への前記例示の引込線引留支持具１０の取り付け後、前記の既設の引込線２４の縁線部分にてこの引込線２４を切断し、絶縁ハンガー２７に吊架されている側の引込線２４の端部に別途用意した足し線４２を電気的に接続し、この接続点４３には、公知の方法によって防水処理などを施しておく。使用する足し線４２は、接続点４３から新設電柱１６までの下線に必要な長さに裁断してあってもよく、例えば電線ドラムに巻いた状態で現地に搬入し、本発明の引込線の延線工事の際に必要な長さ分だけドラムから引き出して使用し、最後に未使用の部分を切り落とすようにしてもよい。
【００３２】
接続点４３寄りの足し線４２に引込線引留具４４を取り付け、こうして取り付けた引込線引留具４４が備える引留金具をメッセンジャーワイヤ２５に取り付けた引込線引留支持具１０の金具係止孔５２に係止する。引込線引留支持具１０に複数の金具係止孔５２，５２、・・・が設けられている場合には、足し線４２の架線方向と同様の方向に向いた係止孔５２に引留金具を係止するのが好ましい。この引込線引留具４４としては、足し線４２の途中に取り付けることができ、後述するように、引込線引留支持部に掛止可能なものであればその構造に制限はないが、通常、図１１に例示するような公知のバインドレス引留碍子が使用される。この図に示すバインドレス引留碍子の構造については、前記の通りであるので、ここでは省略する。引込線引留具４４の足し線４２への取り付け位置は、引込金具を引込線引留支持具１０に係止して足し線４２を引込線引留支持具１０に引き留めた際に、既設電柱１６に最も近接する絶縁ハンガー２７とこの引込線引留支持具１０との間で引込線２４と接続点４３において接続された足し線４２とがたるんだ状態となり延線部分が形成されるような位置とするのが好ましい。
【００３３】
このようにメッセンジャーワイヤ２５に設けた引込線引留支持具１０に接続点４３寄りを支持した足し線４２を新設電柱３６における引込専用腕金３７の両端に設けられた笠形金具（引込線引留支持部）３７１のうちの一方の近傍まで延線していく。その位置で、足し線４２に引込線引留具４５を取り付け、その引留金具を笠形金具の所定の金具係止孔に係止する。この際、メッセンジャーワイヤ２５に設けた引込線引留支持具１０に係止した引込線引留具４４との間でこの足し線４２が張った状態となるように、これに引込線引留具４５を取り付けるようにし、引込線引留具４５の引留金具を引込専用腕金３７の笠形金具３７１に係止する。この引込線引留具４５としては、前記した引込線引留具４４と同様の構造を備えたものを用いることができる。
【００３４】
その後、足し線４２の接続点４３とは反対側の端部を引込専用腕金３７に設けられた引込端子箱３７２内の所定の端子金具に電気的に接続する。このとき、予め所定の長さに裁断した足し線４２を用いる場合には、引込線引留具４５と引込端子箱３７２との間の足し線４２のたるみを確認し、必要であれば、所定のたるみ具合となるように足し線４２の端部を切り落とした上で、足し線４２の端部の被覆を剥いて接続すればよい。また、足し線４２を電線ドラムから引き出して使用している場合には、引込線引留具４５と引込端子箱３７２との間が所定のたるみ具合となるように所定の長さとなるように足し線４２を裁断した上で、当該端部の被覆を剥いて接続すればよい。
【００３５】
このひきこみ端子箱３７２内の端子金具には予め低圧引下線４１の一端が接続されているので、当該低圧引下線４１の他端を通常の方法に従って所定の電源路に接続することで、本発明の引込線の延線工事は完了する。
【００３６】
以上説明したように、本発明の引込線の延線工事方法によれば、移設前の既設電柱に近接した縁線部分で引込線を切断するので、従来の方法よりも引込線の張替え長さを短くでき、その結果引込線の架線に要する作業時間を短縮し、材料費・工費の低減が図れるとともに、メッセンジャーワイヤに引込線引留支持具を設けることとし、これと新設電柱の所定の引込線引留支持部とにそれぞれ係止した引込線引留具を介してこれらの間（２つの支持点間）で足し線を張った状態で引留支持するので、足し線のたるみによる弊害がそもそも発生することがない。また、これら２つの引込線引留具４４、４５間の足し線４２にのみ張力がかかった状態となるので、これらの引込線引留具４４、４５の外側の足し線４２（引込線２４）に縁船部分をそれぞれ形成でき、当該各縁線部分に接続点４３および足し線４２の引込端子箱３７２内における接続部をそれぞれ配置することができる。
【図面の簡単な説明】
【００３７】
【図１】本発明の引込線の延線工事方法の一例を示す説明図である。
【図２】本発明の引込線引留支持具の実施形態の一例を示す図である。
【図３】本発明の引込線引留支持具の実施形態の別の例を示す図である。
【図４】図３に示す実施形態の変形例を示す図である。
【図５】図３に示す実施形態の別の変形例を示す図である。
【図６】本発明の引込線支持具の実施形態のさらに別の例を示す図である。
【図７】図６に示す実施形態の変形例を示す図である。
【図８】図６に示す実施形態の別の変形例を示す図である。
【図９】架空引込線の途中支持方式の一例を説明する図である。
【図１０】一般的な絶縁ハンガーの一例を示す図である。
【図１１】一般的な引込線引留具の使用例を示す図である。
【図１２】柱間メッセンジャーワイヤが張り渡された一方の電柱を移設する場合の従来の引込線の延線工事方法の一例を示す説明図である。
【図１３】柱間メッセンジャーワイヤが張り渡された一方の電柱を移設する場合に考え得る引込線の延線工事方法の別の例を示す図である。
【符号の説明】
【００３８】
１０    引込線引留支持具
１４、１６    既設電柱
１５、１８    支線バンド
１７    引込専用腕金
１７１    引込線引留支持部
２０    架空配電線
２１    低圧引下線
２２    引下線
２３、２９    引込線引留具（バインドレス引留碍子）
２４、３０、３１    引込線
２５    既設柱間メッセンジャーワイヤ
２６    玉碍子
２７    絶縁ハンガー
２８    途中支持金具
３６    新設電柱
３７    引込専用腕金
３７１    引込線引留支持部
３７２    引込端子箱
３８    支線バンド
３９    メッセンジャーワイヤ延長線
４０    メッセンジャーワイヤ接続部（直線バインド）
４１    低圧引下線
４２    引込線足し線
４３    接続点
４４、４５    引込線引留具
５０    引込線引留具掛止部
５０１    引込線引留具係止部（組合せ体）
５１    板状体
５１ａ，５１ａ    通し孔
５２    引留具掛止孔
５３    連結部
５４ａ、５４ｂ    通し孔
５６    連結部
５７    釣支部挿通孔
６０    巻付バインド（釣支部）
６１    直線状部
６２    螺旋部
【図１】
2009044939.tif 000003
【図２】
2009044939.tif 000004
【図３】
2009044939.tif 000005
【図４】
2009044939.tif 000006
【図５】
2009044939.tif 000007
【図６】
2009044939.tif 000008
【図７】
2009044939.tif 000009
【図８】
2009044939.tif 000010
【図９】
2009044939.tif 000011
【図１０】
2009044939.tif 000012
【図１１】
2009044939.tif 000013
【図１２】
2009044939.tif 000014
【図１３】
2009044939.tif 000015